(57)【特許請求の範囲】
【請求項１】
監視データの動向を示すトレンドグラフを表示する表示画面に重ねて設けられ、ユーザ操作に基づく前記表示画面上の操作点を１箇所以上検出するタッチパネル、
前記タッチパネルにより検出された操作点の変化からユーザ操作の種類を識別する状態判定部、
前記表示画面に表示されているトレンドグラフの時間軸及び工学値軸のスケール変更を前記タッチパネルにおいて指示する規定操作が設定され、前記状態判定部により識別されたユーザ操作と前記規定操作の種類が一致した場合に、前記表示画面に表示されているトレンドグラフに対しスケール変更処理の実行を決定する処理判定部、
前記処理判定部によるスケール変更処理実行の決定を受け、前記表示画面上にスケール変更メニューを表示するメニュー表示部、
前記スケール変更メニューにおいてユーザが選択したスケールに基づいて、前記表示画面に表示されているトレンドグラフのスケールを変更するトレンドグラフ表示部を備え、
前記処理判定部には、前記規定操作として、前記表示画面のトレンドグラフ表示領域上の２箇所の操作点を接近させるピンチイン操作と、前記２箇所の操作点を離間させるピンチアウト操作が設定されていることを特徴とする監視制御装置。
【請求項２】
前記状態判定部により識別されたユーザ操作が、前記表示画面に表示されているトレンドグラフの時間軸方向のピンチイン操作またはピンチアウト操作であった場合、前記処理判定部は、該トレンドグラフの時間軸のスケール変更処理の実行を決定し、前記メニュー表示部は、時間軸に対応した前記スケール変更メニューを表示することを特徴とする請求項１記載の監視制御装置。
【請求項３】
前記状態判定部により識別されたユーザ操作が、前記表示画面に表示されているトレンドグラフの工学値軸方向のピンチイン操作またはピンチアウト操作であった場合、前記処理判定部は、該トレンドグラフの工学値軸のスケール変更処理の実行を決定し、前記メニュー表示部は、工学値軸に対応した前記スケール変更メニューを表示することを特徴とする請求項１または請求項２記載の監視制御装置。
【請求項４】
前記状態判定部により識別されたユーザ操作が、前記表示画面に表示されているトレンドグラフの時間軸と工学値軸に対して斜め方向のピンチイン操作またはピンチアウト操作であった場合、前記処理判定部は、該トレンドグラフの時間軸と工学値軸のスケール変更処理の実行を決定し、前記メニュー表示部は、時間軸に対応した前記スケール変更メニューと工学値軸に対応した前記スケール変更メニューを同時に表示することを特徴とする請求項１から請求項３のいずれか一項に記載の監視制御装置。
【請求項５】
前記表示画面に表示されるトレンドグラフに対しユーザにより過去に選択されたスケールの履歴を記憶する履歴保持部を備え、前記メニュー表示部は、前記履歴保持部に記憶された回数の多い順にスケールを並べて表示することを特徴とする請求項１から請求項４のいずれか一項に記載の監視制御装置。
【請求項６】
前記メニュー表示部は、前記履歴保持部に記憶された回数の多いスケールほど、ユーザ操作の操作点に近い位置に表示することを特徴とする請求項５記載の監視制御装置。
【請求項７】
前記トレンドグラフ表示部は、前記表示画面の１つのトレンドグラフ表示領域に複数のトレンドグラフを同時に表示すると共に各トレンドグラフに対応した複数のスケールを表示するものであり、複数のトレンドグラフの中から１つのトレンドグラフが選択された状態で前記規定操作と種類が一致するユーザ操作が行われた場合、前記処理判定部は、選択されているトレンドグラフに対するスケール変更処理の実行を決定することを特徴とする請求項１から請求項６のいずれか一項に記載の監視制御装置。
【請求項８】
前記表示画面は複数のトレンドグラフ表示領域を有し、それぞれの前記トレンドグラフ表示領域に対応する複数の前記トレンドグラフ表示部を備え、
１つの前記トレンドグラフ表示部が、対応する前記トレンドグラフ表示領域に表示されているトレンドグラフのスケール変更処理を実行した場合、他の前記トレンドグラフ表示部も連動して対応する前記トレンドグラフ表示領域に表示されているトレンドグラフのスケール変更処理を実行することを特徴とする請求項１から請求項６のいずれか一項に記載の監視制御装置。
【請求項９】
前記トレンドグラフ表示領域を３つ以上有する場合、それぞれの前記トレンドグラフ表示領域に表示されているトレンドグラフの中からユーザが任意の複数のトレンドグラフを選択した状態で、その中のいずれか１つのトレンドグラフのスケール変更処理を実行することにより、選択されたトレンドグラフのスケール変更が連動して実行されることを特徴とする請求項８記載の監視制御装置。
【発明の詳細な説明】
【技術分野】
【０００１】
本発明は、監視制御装置に関し、特に表示画面に表示されているトレンドグラフのスケールを変更する際の操作性向上に関する。
【背景技術】
【０００２】
監視制御装置は、発電プラント、化学プラント、受配電設備及び上下水道等、幅広い分野で用いられている。近年の監視制御装置においては、インターネット上で標準的に用いられているワールドワイドウェブ（Ｗｏｒｌｄ  Ｗｉｄｅ  Ｗｅｂ；以下、Ｗｅｂと略す）を利用して、監視データの傾向や動向を示すトレンドグラフを表示画面に表示している。ユーザ（操作員）は、トレンドグラフでデータを監視しながら、必要に応じてグラフのスケールを変更することがある。このため、表示画面に表示されているトレンドグラフのスケールを変更する際の操作性が高い監視制御装置が求められている。
【０００３】
一方、Ｗｅｂを利用可能なパーソナルコンピュータやモバイル端末、あるいはスマートフォン等の表示画面において、ユーザによる操作が可能なタッチパネルを備えたものが普及している。中でも複数の点に同時に触れて操作するマルチタッチ操作を行うことができるマルチタッチディスプレイは、対象の移動や回転、画像のズーム等を直感的に入力することができる。
【０００４】
マルチタッチ操作の例として、ピンチイン操作とピンチアウト操作がある。ピンチイン操作とは、２本の指で画面上の操作対象をつまむように動かす操作であり、主に画面を縮小させる時に行われる。また、ピンチアウト操作とは、画面上で２本の指を広げるように動かす操作のことで、主に画面を拡大させる時に行われる。
【０００５】
このようなマルチタッチディスプレイを備えた表示画面において、グラフ画像のスケールを変更する方法として、特許文献１に示された表示制御装置では、表示画面に対してピンチアウト操作が行われると、ピンチアウト操作に応じて時間軸を拡大し、さらに、ユーザがピンチアウト操作を継続している場合には、その継続時間に応じて時間軸の拡大率を増加させるようにしている。この特許文献１によれば、表示画面が十分な大きさを有していない場合でも、ユーザがマルチタッチ操作を複数回繰り返し行う必要がない。
【０００６】
また、特許文献２に示された管理装置では、電力制御システムにおいてエネルギーの供給量の履歴を示すグラフの時間範囲を変更するための方法として、グラフ画像に対して縮小を示唆するピンチイン操作及び拡大を示唆するピンチアウト操作による指示と、グラフ画像と共に表示される「時」「日」「週」「月」等のオブジェクトを選択する操作による指示の２つの指示方法があり、いずれを受信した場合にも時間範囲を変更したグラフ画像を作成するようにしている。
【先行技術文献】
【特許文献】
【０００７】
【特許文献１】特開２０１２−１８５６４７号公報
【特許文献２】特開２０１４−２０８４０号公報
【発明の概要】
【発明が解決しようとする課題】
【０００８】
特許文献１に提示された方法では、ピンチイン操作またはピンチアウト操作の継続時間に応じてトレンドグラフのスケールの拡大率または縮小率を変化させているため、拡大率または縮小率が大きいほどそれらの操作を長時間継続する必要がある。また、それらの操作の継続時間のわずかな違いにより所望のスケールからずれてしまい、操作をやり直すことになるため、結果としてスケール変更に時間を要することになる。
【０００９】
また、特許文献２に提示されたようなピンチイン、ピンチアウト操作によりグラフの時間範囲を直接的に縮小、拡大する方法においても、所望の拡大率または縮小率からずれてしまうことがあり、所望のスケールになるまで操作をやり直すことになる。このように、特許文献１及び特許文献２の方法では、所望のスケールにするまでに操作のやり直しが必要となることが多く、ユーザの技量に左右される。
【００１０】
さらに、特許文献２に提示されたグラフ画像と共に表示されたオブジェクトを選択してグラフの時間範囲を決定する方法では、複数のオブジェクトを表示するためのスペースが必要であり、グラフ画像を表示するスペースが狭くなるという問題がある。
【００１１】
本発明は、上記のような課題を解決するためになされたものであり、マルチタッチディスプレイを備えた表示画面において、トレンドグラフを所望のスケールに正確且つ迅速に変更することが可能な操作性の高い監視制御装置を得ることを目的とする。
【課題を解決するための手段】
【００１２】
本発明に係る監視制御装置は、監視データの動向を示すトレンドグラフを表示する表示画面に重ねて設けられ、ユーザ操作に基づく表示画面上の操作点を１箇所以上検出するタッチパネルと、タッチパネルにより検出された操作点の変化からユーザ操作の種類を識別する状態判定部と、表示画面に表示されているトレンドグラフの時間軸及び工学値軸のスケール変更をタッチパネルにおいて指示する規定操作が設定され、状態判定部により識別されたユーザ操作と規定操作の種類が一致した場合に、表示画面に表示されているトレンドグラフに対しスケール変更処理の実行を決定する処理判定部と、処理判定部によるスケール変更処理実行の決定を受け、表示画面上にスケール変更メニューを表示するメニュー表示部と、スケール変更メニューにおいてユーザが選択したスケールに基づいて、表示画面に表示されているトレンドグラフのスケールを変更するトレンドグラフ表示部を備え、処理判定部には、規定操作として、表示画面のトレンドグラフ表示領域上の２箇所の操作点を接近させるピンチイン操作と、２箇所の操作点を離間させるピンチアウト操作が設定されているものである。
【発明の効果】
【００１３】
本発明に係る監視制御装置によれば、表示画面に表示されているトレンドグラフの時間軸及び工学値軸のスケール変更をタッチパネルにおいて指示する規定操作としてピンチイン操作とピンチアウト操作が予め設定され、ユーザ操作と規定操作の種類が一致した場合に表示画面上にスケール変更メニューが表示され、このスケール変更メニューにおいてユーザが所望のスケールを選択するようにしたので、ユーザの技量を必要としない簡単な操作でトレンドグラフを所望のスケールに正確且つ迅速に変更することが可能である。
【図面の簡単な説明】
【００１４】
【図１】本発明の実施の形態１に係る監視制御装置の構成を示す図である。
【図２】本発明の実施の形態１に係る監視制御装置の監視制御画面を示す図である。
【図３】本発明の実施の形態１に係る監視制御装置におけるトレンドグラフのスケール変更処理の流れを示す図である。
【図４】本発明の実施の形態２に係る監視制御装置の監視制御画面を示す図である。
【図５】本発明の実施の形態２に係る監視制御装置におけるトレンドグラフのスケール変更処理の流れを示す図である。
【図６】本発明の実施の形態３に係る監視制御装置の構成を示す図である。
【図７】本発明の実施の形態３に係る監視制御装置の監視制御画面を示す図である。
【図８】本発明の実施の形態４に係る監視制御装置の監視制御画面を示す図である。
【図９】本発明の実施の形態５に係る監視制御装置の構成を示す図である。
【図１０】本発明の実施の形態５に係る監視制御装置の監視制御画面を示す図である。
【発明を実施するための形態】
【００１５】
実施の形態１．
以下に、本発明の実施の形態１に係る監視制御装置について、図面に基づいて説明する。図１は、本実施の形態１に係る監視制御装置の構成を示すブロック図、図２は、本実施の形態１に係る監視制御装置の監視制御画面を示すイメージ図である。なお、各図において、図中、同一及び相当部分には同一符号を付している。
【００１６】
本実施の形態１に係る監視制御装置１００は、図１に示すように、タッチパネル１、表示画面２、及び表示画面２に表示されているトレンドグラフに対しスケール変更処理を実行する制御部３を備えている。本実施の形態１における制御部３は、状態判定部４、処理判定部５、メニュー表示部６及びトレンドグラフ表示部７を有している。
【００１７】
タッチパネル１は、図２に示すように、表示画面２に重ねて設けられ一体化され、ユーザ操作に基づく表示画面２上の操作点（座標）を１箇所以上検出するものである。すなわち、複数の点に同時に触れて操作するマルチタッチ操作を行うことができるマルチタッチディスプレイである。表示画面２は、監視データの動向を示すトレンドグラフ２３が表示されるトレンドグラフ表示領域２２を含む監視制御画面２１を表示する。なお、図２に示す例では、監視制御画面２１は１つのトレンドグラフ表示領域２２を有し、１つのトレンドグラフ２３を表示している。
【００１８】
状態判定部４は、タッチパネル１が検出した操作点の変化から、ユーザ操作の種類を識別する。タッチパネル１に対するユーザ操作の種類には、例えばタップ、ダブルタップ（マウス操作のクリック、ダブルクリックに相当）、ドラッグ、フリック、ピンチイン、ピンチアウト等がある。
【００１９】
処理判定部５は、状態判定部４が識別したユーザ操作の種類に基づいて、実行する処理を決定する。この処理判定部５には、表示画面２に表示されているトレンドグラフ２３の時間軸及び工学値軸のスケール変更をタッチパネル１において指示する「規定操作」が予め設定及び記憶されている。処理判定部５は、状態判定部４により識別されたユーザ操作と規定操作の種類が一致した場合に、表示画面２に表示されているトレンドグラフ２３に対しスケール変更処理の実行を決定する。
【００２０】
本実施の形態１では、処理判定部５には、規定操作の種類として、表示画面２のトレンドグラフ表示領域２２上の２箇所の操作点を接近させるピンチイン操作と、２箇所の操作点を離間させるピンチアウト操作が設定されているものとする。従って、状態判定部４によるユーザ操作の識別結果がピンチイン操作またはピンチアウト操作であった場合に、処理判定部５はトレンドグラフ２３のスケール変更処理の実行を決定する。
【００２１】
メニュー表示部６は、処理判定部５によるスケール変更処理実行の決定を受け、表示画面２上のウィンドウ画面にスケール変更メニューを表示する。トレンドグラフ表示部７は、スケール変更メニューにおいてユーザが選択したスケールに基づいて、表示画面２に表示されているトレンドグラフ２３のスケールを変更し、表示画面２のトレンドグラフ表示領域２２に表示する。
【００２２】
本実施の形態１において、監視制御画面２１に表示されているトレンドグラフ２３に対し、ユーザがタッチパネル１においてスケール変更を指示する際の動作について、図２を用いて説明する。ユーザは、トレンドグラフ２３の時間軸のスケールを変更したい場合、時間軸方向にピンチイン操作（またはピンチアウト操作）を行う。なお、図２中、Ａで示すユーザ操作は、時間軸方向のピンチアウト操作である。状態判定部４は、タッチパネル１に対するユーザ操作が、時間軸方向のピンチイン操作（またはピンチアウト操作）であると識別する。
【００２３】
処理判定部５は、状態判定部４によるユーザ操作の識別結果が、時間軸のスケール変更を指示する規定操作と一致することから、トレンドグラフ２３の時間軸のスケール変更処理の実行を決定する。メニュー表示部６は、時間軸に対応した時間軸スケール変更メニュー２４を、ユーザ操作Ａの操作点の近傍に表示する。
【００２４】
図２に示す例では、時間軸スケール変更メニュー２４には、表示期間として１０分、３０分、６０分の３つの選択肢が表示され、表示周期として１分、５分、１０分の３つの選択肢が表示されている。ユーザが時間軸スケール変更メニュー２４の中から所望の表示期間及び表示周期のスケールを選択すると、トレンドグラフ表示部７は、選択されたスケールのトレンドグラフ２３を作成し、監視制御画面２１のトレンドグラフ表示領域２２に表示する。
【００２５】
また、トレンドグラフ２３の工学値軸のスケールを変更したい場合、ユーザは、工学値軸方向にピンチイン操作（またはピンチアウト操作）を行う。なお、図２中、Ｂで示すユーザ操作は、工学値軸方向のピンチアウト操作である。状態判定部４は、タッチパネル１に対するユーザ操作が、工学値軸方向のピンチイン操作（またはピンチアウト操作）であると識別する。
【００２６】
処理判定部５は、状態判定部４によるユーザ操作の識別結果が、工学値軸のスケール変更を指示する規定操作と一致することから、トレンドグラフ２３の工学値軸のスケール変更処理の実行を決定する。メニュー表示部６は、工学値軸に対応した工学値軸スケール変更メニュー２５をユーザ操作Ｂの操作点の近傍に表示する。
【００２７】
図２に示す例では、工学値軸スケール変更メニュー２５には、工学値として１０、５０、１００が表示される。なお、ここでは工学値の種類を特定していないので単位を省略している。ユーザが工学値軸スケール変更メニュー２５の中から所望のスケールを選択すると、トレンドグラフ表示部７は、選択されたスケールのトレンドグラフ２３を作成し、監視制御画面２１のトレンドグラフ表示領域２２に表示する。
【００２８】
図３は、本実施の形態１に係る監視制御装置１００におけるトレンドグラフ２３のスケール変更処理の流れを示すフローチャートである。なお、図３では、ユーザがタッチパネル１においてピンチイン操作を行い、時間軸または工学値軸のスケール変更を指示する場合を例に挙げて説明するが、ピンチアウト操作であっても同様の処理が行われる。
【００２９】
ユーザが、監視制御画面２１に表示されているトレンドグラフ２３のスケールを変更するためにピンチイン操作を行うと、ステップ１（Ｓ１）において、タッチパネル１は、ピンチイン操作の操作点を検出する。続いて、ステップ２（Ｓ２）において、状態判定部４は、検出された操作点の変化から、タッチパネル１にピンチイン操作がなされたことを検出し、さらに、ステップ３（Ｓ３）及びステップ４（Ｓ４）において、ピンチイン操作の方向を判定する。
【００３０】
Ｓ４において、タッチパネル１の操作方向が時間軸方向であった場合は、ステップ５ａ（Ｓ５ａ）に進み、処理判定部５は時間軸スケール変更処理の実行を決定し、時間軸スケール変更メニュー２４の表示を決定する。さらに、ステップ６ａ（Ｓ６ａ）において、メニュー表示部６は、Ｓ５ａにおける処理判定部５の決定を受けて時間軸スケール変更メニュー２４を監視制御画面２１に表示する。
【００３１】
一方、Ｓ４において、タッチパネル１の操作方向が工学値軸方向であった場合は、ステップ５ｂ（Ｓ５ｂ）に進み、処理判定部５は工学値軸スケール変更処理の実行を決定し、工学値軸スケール変更メニュー２５の表示を決定する。さらに、ステップ６ｂ（Ｓ６ｂ）において、メニュー表示部６は、Ｓ５ｂにおける処理判定部５の決定を受けて工学値軸スケール変更メニュー２５を監視制御画面２１に表示する。
【００３２】
続いてステップ７（Ｓ７）において、ユーザは、表示された時間軸スケール変更メニュー２４または工学値軸スケール変更メニュー２５から、所望のスケールを選択する。続いてステップ８（Ｓ８）において、トレンドグラフ表示部７は、トレンドグラフ２３のスケールを、Ｓ７で選択された値に変更する。これにより、監視制御画面２１のトレンドグラフ表示領域２２には、選択されたスケールに変更されたトレンドグラフ２３が表示される。
【００３３】
なお、本実施の形態１では、トレンドグラフ２３のスケール変更を指示する規定操作として、ピンチイン操作及びピンチアウト操作を設定したが、規定操作はこれに限定されるものではなく、ピンチイン操作、ピンチアウト操作のいずれか一方であっても良いし、別の操作であっても良い。
【００３４】
以上のように、本実施の形態１に係る監視制御装置１００によれば、表示画面２に表示されているトレンドグラフ２３の時間軸及び工学値軸のスケール変更をタッチパネル１において指示する規定操作が予め設定され、ユーザ操作と規定操作の種類が一致した場合に表示画面２上にスケール変更メニューが表示され、このスケール変更メニューにおいてユーザが所望のスケールを選択するようにしたので、ユーザの技量を必要としない簡単な操作でトレンドグラフを所望のスケールに正確且つ迅速に変更することが可能である。
【００３５】
本実施の形態１によれば、スケール変更メニューを開くための規定操作とメニュー選択操作でスケールを変更することができ、ピンチイン、ピンチアウト操作により直接的にスケールの縮小と拡大を行う従来方法のように、所望のスケールになるまで何度もやり直しをする必要がない。また、ピンチイン、ピンチアウト操作の継続時間に応じてトレンドグラフのスケールの拡大率または縮小率を変化させる従来方法と比べても、操作の継続時間のわずかな違いにより所望のスケールからずれることがなく、容易に所望のスケールに変更することができる。
【００３６】
さらに、監視制御画面２１上にスケール変更メニューやメニューを開くためのオブジェクトを常時表示させておく必要がないため、トレンドグラフ表示領域２２のスペースを広く確保することができ、トレンドグラフ２３の視認性が向上する。
【００３７】
実施の形態２．
図４は、本発明の実施の形態２に係る監視制御装置の監視制御画面を示すイメージ図である。なお、本実施の形態２に係る監視制御装置の主な構成は、上記実施の形態１と同様であるので、図１を流用し、各構成要素の詳細な説明は省略する。
【００３８】
本実施の形態２に係る監視制御装置１００の処理判定部５には、上記実施の形態１と同様に、表示画面２に表示されているトレンドグラフ２３の時間軸のスケール変更を指示する規定操作として、時間軸方向のピンチイン操作及びピンチアウト操作が設定され、工学値軸のスケール変更を指示する規定操作として、工学値軸方向のピンチイン操作及びピンチアウト操作が設定されている。
【００３９】
さらに、本実施の形態２では、時間軸及び工学値軸のスケール変更を同時に指示する規定操作として、時間軸と工学値軸に対して斜め方向のピンチイン操作及びピンチアウト操作が設定されている。従って、ユーザ操作が斜め方向のピンチイン操作またはピンチアウト操作であった場合、処理判定部５は、トレンドグラフの時間軸と工学値軸のスケール変更処理の実行を決定し、メニュー表示部６は、時間軸スケール変更メニュー２４と工学値軸スケール変更メニュー２５を同時に表示する。
【００４０】
本実施の形態２において、監視制御画面２１に表示されているトレンドグラフ２３に対し、ユーザがタッチパネル１においてスケール変更を指示する際の動作について、図４を用いて説明する。なお、ユーザが、トレンドグラフ２３の時間軸のみ、あるいは工学値軸のみのスケール変更を指示する場合については、上記実施の形態１と同様であるので説明を省略する。
【００４１】
ユーザは、トレンドグラフ２３の時間軸と工学値軸の両方のスケールを変更したい場合、時間軸と工学値軸に対して斜め方向にピンチイン操作（またはピンチアウト操作）を行う。なお、図４中、Ｃで示すユーザ操作は、斜め方向のピンチアウト操作である。状態判定部４は、タッチパネル１に対するユーザ操作が、斜め方向のピンチイン操作（またはピンチアウト操作）であると識別する。
【００４２】
処理判定部５は、状態判定部４によるユーザ操作の識別結果が、時間軸及び工学値軸のスケール変更を指示する規定操作と一致することから、トレンドグラフ２３の時間軸と工学値軸のスケール変更処理の実行を決定する。メニュー表示部６は、時間軸スケール変更メニュー２４と工学値軸スケール変更メニュー２５を、ユーザ操作Ｃの操作点の近傍に同時に表示する。
【００４３】
なお、図４に示すユーザ操作Ｃは、右上がりの斜め方向のピンチアウト操作であるが、右下がりの斜め方向であっても良い。また、図４では、時間軸スケール変更メニュー２４と工学値軸スケール変更メニュー２５をユーザ操作Ｃの片方の指の傍に表示しているが、２本の指それぞれの傍にメニューを１つずつ表示しても良い。その場合、メニューの選択に複数の指を使用することができ、操作時間をさらに短縮することができる。
【００４４】
図５は、本実施の形態２に係る監視制御装置１００におけるトレンドグラフ２３のスケール変更処理の流れを示すフローチャートである。なお、図５では、ユーザがタッチパネル１においてピンチイン操作を行う場合を例に挙げて説明するが、ピンチアウト操作であっても同様の処理が行われる。また、上記実施の形態１で説明した図３のフローチャートと同一番号のステップについては、同じ処理であるため説明を省略する。
【００４５】
Ｓ４において、タッチパネル１の操作方向が時間軸と工学値軸に対して斜め方向であった場合、ステップ５ｃ（Ｓ５ｃ）に進み、処理判定部５は時間軸と工学値軸のスケール変更処理の実行を決定し、時間軸スケール変更メニュー２４と工学値軸スケール変更メニュー２５の表示を決定する。さらに、ステップ６ｃ（Ｓ６ｃ）において、メニュー表示部６は、Ｓ５ｃにおける処理判定部５の決定を受けて、時間軸スケール変更メニュー２４と工学値軸スケール変更メニュー２５を監視制御画面２１に同時に表示する。
【００４６】
本実施の形態２によれば、上記実施の形態１と同様の効果に加え、１つの操作、すなわち斜め方向のピンチイン操作またはピンチアウト操作で時間軸と工学値軸に対応する２つのスケール変更メニューを同時に表示することが可能であり、操作性がさらに向上する。
【００４７】
実施の形態３．
図６は、本発明の実施の形態３に係る監視制御装置の構成を示すブロック図、図７は、本実施の形態３に係る監視制御装置の監視制御画面を示すイメージ図である。上記実施の形態１及び実施の形態２において、時間軸スケール変更メニュー２４及び工学値軸スケール変更メニュー２５は、複数のスケールを小さい順に並べて表示していたが、本実施の形態３では、過去に選択された回数の多い順にスケールを並べて表示するものである。なお、その他の構成要素については上記実施の形態１と同様であるので、ここでは説明を省略する。
【００４８】
図６に示すように、本実施の形態２に係る監視制御装置１００の制御部３は、履歴保持部８を備えている。履歴保持部８は、表示画面２に表示されるトレンドグラフ２３に対しユーザにより過去に選択されたスケールの履歴を、各種のトレンドグラフ毎に記憶している。メニュー表示部６は、履歴保持部８に記憶された回数の多い順にスケールを並べて表示する。
【００４９】
本実施の形態３に係る監視制御画面２１において、トレンドグラフ２３のスケール変更処理を実行する際の動作について、図７を用いて説明する。処理判定部５が時間軸スケール変更メニュー２４ａまたは工学値軸スケール変更メニュー２５ａの表示を決定した時、メニュー表示部６は、該当するトレンドグラフにおいて過去に選択された回数の多いスケールを履歴保持部８から取り出し、ユーザによる操作点に近い位置に選択された回数の多いスケールを表示する。
【００５０】
図７に示す例では、時間軸スケール変更メニュー２４ａに表示された表示期間のスケールは、ユーザ操作Ａの操作点から近い順に１０分、３０分、６０分となっており、過去に選択された回数が最も多いスケールは１０分であることを示している。また、表示周期のスケールは、ユーザ操作Ａの操作点から近い順に５分、１０分、１分となっており、過去に選択された回数が最も多いスケールは５分であることを示している。
【００５１】
同様に、工学値軸スケール変更メニュー２５ａに表示されたスケールは、ユーザ操作Ｂの操作点から近い順に１０、１００、５０となっており、過去に選択された回数が最も多いスケールは１０であることを示している。このように、履歴保持部８に記憶された回数の多いスケールほど、ユーザ操作の操作点に近い位置に表示される。
【００５２】
実施の形態３によれば、上記実施の形態１と同様の効果に加え、ユーザが少ない指の移動でトレンドグラフ２３のスケールを変更することができ、操作性がさらに向上する。
【００５３】
実施の形態４．
図８は、本発明の実施の形態４に係る監視制御装置の監視制御画面を示すイメージ図である。なお、本実施の形態４に係る監視制御装置の主な構成は、上記実施の形態１と同様であるので、図１を流用し、各構成要素の詳細な説明は省略する。
【００５４】
本実施の形態４に係る監視制御装置１００のトレンドグラフ表示部７は、図８に示すように、表示画面２の１つのトレンドグラフ表示領域２２ａに、複数のトレンドグラフ２３、２３ａを同時に表示することができ、各トレンドグラフ２３、２３ａに対応した複数のスケールを表示することができる。図８に示す例では、時間軸は上下２段にスケールが表示され、工学値軸は左右にスケールが表示されている。
【００５５】
本実施の形態４に係る監視制御装置１００においても、上記実施の形態１〜実施の形態３と同様のスケール変更処理が可能である。その場合、ユーザは、複数のトレンドグラフ２３、２３ａの中からスケールを変更したいトレンドグラフ（図８ではトレンドグラフ２３とする）を選択して、スケール変更を指示するユーザ操作を行う。
【００５６】
１つのトレンドグラフ２３が選択された状態で、規定操作と種類が一致するユーザ操作、すなわちピンチイン操作またはピンチアウト操作が行われた場合、処理判定部５は、選択されているトレンドグラフ２３に対するスケール変更処理の実行を決定する。メニュー表示部６は、選択されているトレンドグラフ２３の時間軸または工学値軸に対応したスケール変更メニューを表示する。
【００５７】
ユーザが、表示された時間軸スケール変更メニュー２４または工学値軸スケール変更メニュー２５の中から所望のスケールを選択すると、トレンドグラフ表示部７は、トレンドグラフ２３のスケールを選択されたスケールに変更して監視制御画面２１に表示する。この時、選択されていないトレンドグラフ２３ａはスケール変更されず、元のままである。
【００５８】
本実施の形態４によれば、上記実施の形態１と同様の効果に加え、１つのトレンドグラフ表示領域２２ａにおいて複数のトレンドグラフ２３、２３ａを同時に監視することができ、さらにユーザが選択したトレンドグラフ２３のスケールのみを変更することができるので、効率性及び操作性が向上する。
【００５９】
実施の形態５．
図９は、本発明の実施の形態５に係る監視制御装置の構成を示すブロック図、図１０は、本実施の形態５に係る監視制御装置の監視制御画面を示すイメージ図である。上記実施の形態１〜実施の形態４では、監視制御画面２１が１つのトレンドグラフ表示領域２２を有する場合について説明したが、本実施の形態５では、監視制御画面２１が複数のトレンドグラフ表示領域２２、２２ｂを有する場合について説明する。なお、その他の構成要素については上記実施の形態１と同様であるので、ここでは説明を省略する。
【００６０】
本実施の形態５に係る監視制御装置１００の制御部３は、第１のトレンドグラフ表示部７ａと第２のトレンドグラフ表示部７ｂを備えている。第１のトレンドグラフ表示部７ａは、トレンドグラフ表示領域２２に対応し、トレンドグラフ２３のスケール変更処理を実行する。また、第２のトレンドグラフ表示部７ｂは、トレンドグラフ表示領域２２ｂに対応し、トレンドグラフ２３ｂのスケール変更処理を実行する。
【００６１】
これら第１のトレンドグラフ表示部７ａ及び第２のトレンドグラフ表示部７ｂは、互いに連動してスケール変更処理を実行するものである。すなわち、第１のトレンドグラフ表示部７ａが、対応するトレンドグラフ表示領域２２に表示されているトレンドグラフ２３のスケール変更処理を実行した場合、第２のトレンドグラフ表示部７ｂも連動して、対応するトレンドグラフ表示領域２２ｂに表示されているトレンドグラフ２３ｂのスケール変更処理を実行する。
【００６２】
なお、図１０に示す例では、監視制御画面２１は２つのトレンドグラフ表示領域２２、２２ｂを有しているが、表示画面２の大きさによっては、さらに多くのトレンドグラフ表示領域を有する場合もある。トレンドグラフ表示領域を３つ以上有する場合、それぞれのトレンドグラフ表示領域に表示されているトレンドグラフの中からユーザが任意の複数のトレンドグラフを選択した状態で、その中のいずれか１つのトレンドグラフのスケール変更処理を実行することにより、選択されたトレンドグラフのスケール変更が連動して実行される。
【００６３】
すなわち、３つ以上のトレンドグラフ表示領域を有する場合には、全てのトレンドグラフのスケールを一括で変更させることも可能であるが、任意の複数のトレンドグラフのスケールを一括で変更させることもできる。これにより、スケールを変更させる必要がないトレンドグラフがある場合でも、その他の複数のトレンドグラフのスケール変更処理を一括で実行することが可能である。
【００６４】
本実施の形態５によれば、上記実施の形態１と同様の効果に加え、複数のトレンドグラフのスケールを容易に揃えることができるため、ユーザが２つのデータ、例えば現在と過去のデータを比較してデータの異常の有無を判断する場合等に便利である。また、複数のトレンドグラフに対し、少ない操作で一括してスケール変更することが可能となり、効率性及び操作性が向上する。なお、本発明は、その発明の範囲内において、各実施の形態を自由に組み合わせたり、各実施の形態を適宜、変形、省略したりすることが可能である。
【産業上の利用可能性】
【００６５】
本発明は、監視データのトレンドグラフを表示する監視制御装置として利用することができる。
【符号の説明】
【００６６】
１  タッチパネル、２  表示画面、３  制御部、４  状態判定部、５  処理判定部、
６  メニュー表示部、７  トレンドグラフ表示部、７ａ  第１のトレンドグラフ表示部、７ｂ  第２のトレンドグラフ表示部、８  履歴保持部、２１  監視制御画面、
２２、２２ａ、２２ｂ  トレンドグラフ表示領域、
２３、２３ａ、２３ｂ  トレンドグラフ、２４、２４ａ  時間軸スケール変更メニュー、２５、２５ａ  工学値軸スケール変更メニュー、１００  監視制御装置。
【図１】
0006305326.tif 000002
【図２】
0006305326.tif 000003
【図３】
0006305326.tif 000004
【図４】
0006305326.tif 000005
【図５】
0006305326.tif 000006
【図６】
0006305326.tif 000007
【図７】
0006305326.tif 000008
【図８】
0006305326.tif 000009
【図９】
0006305326.tif 000010
【図１０】
0006305326.tif 000011